(57)【特許請求の範囲】
【請求項１】
被検体の内部の生体情報を取得可能な生体情報取得部を具備して構成された生体情報取得装置と、前記生体情報取得部の電源状態を切り替えるための交流磁界を発生可能な磁界発生装置と、を有する生体情報取得システムであって、
前記生体情報取得装置は、
前記生体情報取得部を駆動させるための電力を供給可能な電源部と、
直列接続された２つのコイルを少なくとも含む磁界検出用のコイル群において、前記磁界発生装置から発せられた交流磁界を検出できるように構成された磁界検出部と、
前記磁界検出部における交流磁界の検出結果に基づき、前記電源部と前記生体情報取得部との間に接続されているスイッチ部のオンオフ状態を切り替えるための制御を行う切替制御部と、を有し、
前記磁界発生装置は、
１または複数のコイルを具備する磁界発生用のコイル群において、交流磁界を発生させることができるように構成された磁界発生部を有し、
前記生体情報取得装置の電源状態の切り替えが行われる際に、前記磁界発生用のコイル群から発せられる交流磁界が前記磁界検出用コイル群に含まれる各コイルのコイル面に鎖交する位置となるように前記生体情報取得装置の位置が決定され、
前記磁界検出用のコイル群の少なくとも１つのコイルのコイル面と、前記磁界発生用のコイル群の少なくとも１つのコイルのコイル面とが、直交するように配置されることを特徴とする生体情報取得システム。
【請求項２】
前記磁界発生装置は、前記生体情報取得装置の電源状態の切り替えが行われる際に、前記磁界発生用のコイル群から発せられる交流磁界が前記磁界検出用コイル群に含まれる各コイルのコイル面に鎖交する位置となるように、前記生体情報取得装置を固定配置することが可能な位置決め部をさらに有することを特徴とする請求項１に記載の生体情報取得システム。
【請求項３】
前記磁界検出用のコイル群に含まれる前記２つのコイルは、前記生体情報取得装置の内部において、コイル面同士が略平行になるように配置されていることを特徴とする請求項１に記載の生体情報取得システム。
【請求項４】
前記磁界検出用のコイル群に含まれる前記２つのコイルは、相反する巻回方向を具備するように形成されていることを特徴とする請求項３に記載の生体情報取得システム。
【請求項５】
前記磁界検出用のコイル群に含まれる前記２つのコイルは、前記生体情報取得装置の内部において、コイル面同士が略９０°の角度をなすように配置されていることを特徴とする請求項１に記載の生体情報取得システム。
【請求項６】
前記磁界検出用のコイル群の少なくとも１つのコイルは、平面コイルであることを特徴とする請求項１に記載の生体情報取得システム。
【発明の詳細な説明】
【技術分野】
【０００１】
本発明は、生体情報取得システムに関し、特に、生体内の情報を取得可能な生体情報取得システムに関するものである。
【背景技術】
【０００２】
医療分野における内視鏡は、生体内部の観察等の用途において従来用いられている。そして、前述した内視鏡の種類の１つとして、被検者が嚥下することにより体腔内に配置され、蠕動運動に伴って該体腔内を移動しつつ被写体の像を撮像し、撮像した該被写体の像を撮像信号として外部に無線伝送可能なカプセル内視鏡が近年提案されている。
【０００３】
そして、前述したカプセル内視鏡と略同様の構成を有するものとしては、例えば、特許文献１に開示されているようなものがある。
【０００４】
具体的には、特許文献１には、カプセル内視鏡の外部から交流磁界を照射することにより、該カプセル内視鏡の起動及び停止に係る切り替えを行うことが可能な構成が開示されている。
【発明の概要】
【発明が解決しようとする課題】
【０００５】
しかし、特許文献１に開示された構成によれば、例えば、カプセル内視鏡と交流磁界の発生源との位置関係に起因し、比較的高い強度の磁界をカプセル内視鏡に照射しなければ、当該カプセル内視鏡の起動及び停止に係る切り替え動作が行われないような場合がある。その結果、特許文献１に開示された構成によれば、カプセル内視鏡の起動及び停止に係る切り替え動作を確実に実施させるために、交流磁界の発生源として用いられる装置が大型化または高消費電力化してしまう、という課題が生じている。
本発明は、前述した事情に鑑みてなされたものであり、高い強度の磁界を生体情報取得装置に照射せずとも、当該生体情報取得装置の電源のオンオフの切り替えを確実に行うことが可能な生体情報取得システムを提供することを目的としている。
【課題を解決するための手段】
【０００６】
本発明の生体情報取得システムは、被検体の内部の生体情報を取得可能な生体情報取得部を具備して構成された生体情報取得装置と、前記生体情報取得部の電源状態を切り替えるための交流磁界を発生可能な磁界発生装置と、を有する生体情報取得システムであって、前記生体情報取得装置は、前記生体情報取得部を駆動させるための電力を供給可能な電源部と、直列接続された２つのコイルを少なくとも含む磁界検出用のコイル群において、前記磁界発生装置から発せられた交流磁界を検出できるように構成された磁界検出部と、前記磁界検出部における交流磁界の検出結果に基づき、前記電源部と前記生体情報取得部との間に接続されているスイッチ部のオンオフ状態を切り替えるための制御を行う切替制御部と、を有し、前記磁界発生装置は、１または複数のコイルを具備する磁界発生用のコイル群において、交流磁界を発生させることができるように構成された磁界発生部を有し、前記生体情報取得装置の電源状態の切り替えが行われる際に、前記磁界発生用のコイル群から発せられる交流磁界が前記磁界検出用コイル群に含まれる各コイルのコイル面に鎖交する位置となるように前記生体情報取得装置の位置が決定され、前記磁界検出用のコイル群の少なくとも１つのコイルのコイル面と、前記磁界発生用のコイル群の少なくとも１つのコイルのコイル面とが、直交するように配置される。
【発明の効果】
【０００７】
本発明における生体情報取得システムによれば、高い強度の磁界を生体情報取得装置に照射せずとも、当該生体情報取得装置の電源のオンオフの切り替えを確実に行うことができる。
【図面の簡単な説明】
【０００８】
【図１】本発明の実施例に係る生体情報取得システムの要部の構成を示す図。
【図２】生体情報取得装置の具体的な構成の一例を示す図。
【図３】磁界発生装置の具体的な構成の一例を示す図。
【図４】第１の実施例に係る生体情報取得システムにおいて、磁界発生装置に生体情報取得装置が配置された場合の要部の位置関係を説明するための図。
【図５】第１の実施例の第１の変形例に係る生体情報取得システムにおいて、磁界発生装置に生体情報取得装置が配置された場合の要部の位置関係を説明するための図。
【図６】第１の実施例の第２の変形例に係る生体情報取得システムにおいて、磁界発生装置に生体情報取得装置が配置された場合の要部の位置関係を説明するための図。
【図７】第２の実施例に係る生体情報取得システムにおいて、磁界発生装置に生体情報取得装置が配置された場合の要部の位置関係を説明するための図。
【図８】第２の実施例の第１の変形例に係る生体情報取得システムにおいて、磁界発生装置に生体情報取得装置が配置された場合の要部の位置関係を説明するための図。
【図９】第２の実施例の第２の変形例に係る生体情報取得システムにおいて、磁界発生装置に生体情報取得装置が配置された場合の要部の位置関係を説明するための図。
【発明を実施するための形態】
【０００９】
以下、本発明の実施の形態について、図面を参照しつつ説明を行う。
【００１０】
（第１の実施例）
図１から図６は、本発明の第１の実施例に係るものである。
【００１１】
図１は、本発明の実施例に係る生体情報取得システムの要部の構成を示す図である。
【００１２】
本実施例の生体情報取得システム１は、図１に示すように、生体情報取得装置１０と、生体情報取得装置１０に対して交流磁界による起動制御信号を送信する磁界発生装置２０と、を有している。
【００１３】
生体情報取得装置１０は、例えばカプセル内視鏡のような、被検者の体腔内に配置可能なカプセル形状の筐体を具備する装置として構成されている。
【００１４】
ここで、生体情報取得装置１０の具体的な構成例について説明する。図２は、生体情報取得装置の具体的な構成の一例を示す図である。
【００１５】
図２に示すように、生体情報取得装置１０は、生体内部の被写体を照明する照明部１１と、照明部１１により照明された被写体を結像する図示しない対物光学系と、当該対物光学系により結像された被写体を撮像して撮像信号を出力する撮像素子等を備えた撮像部１２と、撮像部１２から出力される撮像信号を無線信号に変換して外部へ出力する無線伝送部１３と、生体情報取得装置１０の各部の駆動に要する電力を供給可能な内蔵バッテリ等からなる電源部１４と、を有している。
【００１６】
すなわち、本実施例における生体情報取得部は、照明部１１及び撮像部１２を具備して構成されている。
【００１７】
また、図２に示すように、生体情報取得装置１０は、磁界発生装置２０から発せられた交流磁界を検出可能に構成された磁界検出部１５と、磁界検出部１５の検出結果に応じた出力信号が入力される切替制御部１８と、切替制御部１８の制御に応じてオンオフ状態を切り替え可能に構成されたスイッチ部１９と、を有している。
【００１８】
磁界検出部１５は、直列接続された複数のコイルを具備して構成される二次側コイル群１７を有している。そして、このような磁界検出部１５の構成によれば、磁界発生装置２０から発せられた交流磁界の検出結果に応じた誘導電流が二次側コイル群１７において発生するとともに、当該誘導電流に応じた電気信号が切替制御部１８に入力される。なお、二次側コイル群１７の具体的な構成（個数及び配置状態等）については、後程説明する。
【００１９】
切替制御部１８は、例えば２分周回路等により構成されており、磁界検出部１５の検出結果に応じて出力される出力信号の信号レベルが閾値以上になったことを検出した場合において、スイッチ部１９のオンオフ状態を切り替えるための制御信号を出力する。
【００２０】
スイッチ部１９は、電源部１４と照明部１１、撮像部１２及び無線伝送部１３の各部との間に接続されており、切替制御部１８からの制御信号が入力される毎にオンオフ状態が切り替わるように構成されている。すなわち、スイッチ部１９がオンされている場合においては、電源部１４から照明部１１、撮像部１２及び無線伝送部１３の各部への電力供給が行われる。また、スイッチ部１９がオフされている場合においては、電源部１４から照明部１１、撮像部１２及び無線伝送部１３の各部への電力供給が停止する。
【００２１】
次に、磁界発生装置２０の具体的な構成例について説明する。図３は、磁界発生装置の具体的な構成の一例を示す図である。
【００２２】
磁界発生装置２０は、図３に示すように、交流磁界による起動制御信号を発生する磁界発生部４２と、磁界発生部４２を駆動する磁界発生制御部４９と、磁界発生装置２０の各部の駆動に要する電力を供給可能な電源部４１と、スイッチ２２と、を有して構成されている。
【００２３】
磁界発生部４２は、ドーナツ形状の平面コイルを１または複数具備して構成される一次側コイル群４４を有している。なお、一次側コイル群４４の具体的な構成（個数及び配置状態等）については、後程説明する。
【００２４】
磁界発生制御部４９は、発振器４５と、発振器４５からの信号を所定の周波数に変換する等の処理を行うタイミング生成部４６と、該所定の周波数の信号により磁界発生部４２を駆動するドライバ４７と、を有している。
【００２５】
スイッチ２２は、操作者の操作に応じて電源部４１から磁界発生制御部４９への電力供給状態を切り替えることが可能な、例えば押しボタンスイッチとして構成されている。
【００２６】
すなわち、以上に述べた磁界発生装置２０の構成によれば、操作者の操作によりスイッチ２２がオンされることに伴い、電源部４１から磁界発生制御部４９への電力の供給が開始され、磁界発生部４２の一次側コイル群４４（に含まれる各コイル）からの交流磁界の発生（起動制御信号の送信）が開始される。
【００２７】
また、以上に述べた磁界発生装置２０の構成によれば、操作者の操作によりスイッチ２２がオフされることに伴い、電源部４１から磁界発生制御部４９への電力の供給が停止され、磁界発生部４２の一次側コイル群４４（に含まれる各コイル）からの交流磁界の発生（起動制御信号の送信）が停止される。
【００２８】
続いて、図４を参照しつつ、本実施例における二次側コイル群１７及び一次側コイル群４４の具体的な構成等に関する説明を行う。図４は、第１の実施例に係る生体情報取得システムにおいて、磁界発生装置に生体情報取得装置が配置された場合の要部の位置関係を説明するための図である。
【００２９】
図４に示すように、生体情報取得装置１０の長軸方向ＬＡに位置する一方の端部には、第１の巻回方向を具備するように形成され、かつ、長軸方向ＬＡとコイル面とが直交（または略直交）するように配置されたコイル１７１が内蔵されている。
【００３０】
また、図４に示すように、生体情報取得装置１０の長軸方向ＬＡに位置する他方の端部には、前述の第１の巻回方向の逆方向に相当する第２の巻回方向を具備するように形成され、かつ、長軸方向ＬＡとコイル面とが直交（または略直交）するように配置されたコイル１７２が内蔵されている。
【００３１】
すなわち、図４に例示した生体情報取得装置１０の構成によれば、二次側コイル群１７は、コイル面同士が平行（または略平行）となるように配置されるとともに直列に接続されたコイル１７１及び１７２を具備して構成されている。
【００３２】
一方、図４に示すように、磁界発生装置２０の上部には、箱型の筐体の上面とコイル面とが平行（または略平行）になるように配置された平面コイル４４１が内蔵されている。
【００３３】
すなわち、図４に例示した磁界発生装置２０の構成によれば、一次側コイル群４４は、平面コイル４４１を具備して構成されている。
【００３４】
また、図４に示すように、磁界発生装置２０の上部には、箱型の筐体の上面と生体情報取得装置１０の長軸方向ＬＡとが平行（または略平行）になるように生体情報取得装置１０を配置した状態において、平面コイル４４１のコイル面の略真上に相当する所定の位置に生体情報取得装置１０を固定できるように形成された位置決め部材２１が設けられている。
【００３５】
すなわち、磁界発生装置２０の位置決め部材２１は、磁界発生装置２０の平面コイル４４１と、生体情報取得装置１０のコイル１７１及び１７２と、の間の相対的な位置関係を決定する位置決め部として機能する。
【００３６】
そして、図４に例示した本実施例の構成によれば、生体情報取得装置１０が位置決め部材２１により固定配置された状態においてスイッチ２２がオンされると、平面コイル４４１から発せられる交流磁界（の磁束）がコイル１７１及び１７２の２つのコイル面を鎖交するため、電磁誘導作用に伴う誘導電流がコイル１７１及び１７２のそれぞれにおいて略同時に発生する。さらに、コイル１７１及び１７２における誘導電流の発生に伴ってスイッチ部１９のオンオフ状態が切り替わることにより、電源部１４から照明部１１、撮像部１２及び無線伝送部１３の各部への電力供給が開始または停止される。
【００３７】
従って、図４に例示した本実施例に係る構成によれば、高い強度の磁界を生体情報取得装置に照射せずとも、当該生体情報取得装置の電源のオンオフの切り替えを確実に行うことができる。
【００３８】
ところで、以上に述べたような本実施例の構成によれば、前述の効果と略同一の効果を得ることが可能な種々の変形例が考えられる。そのため、以降においては、このような種々の変形例についての説明を行う。なお、以降においては、説明の簡単のため、既に述べたものと同じ構成要素等に関する詳細な説明を適宜省略する。
【００３９】
本実施例の第１の変形例に係る生体情報取得システム１Ａは、図５に示すように、生体情報取得装置１０Ａと、磁界発生装置２０と、を有している。
【００４０】
生体情報取得装置１０Ａには、前述のコイル１７１及び１７２に加え、生体情報取得装置１０Ａの短軸方向ＳＡに位置する側部において、短軸方向ＳＡとコイル面とが直交（または略直交）するように配置されたコイル１７３が内蔵されている。
【００４１】
すなわち、図５に例示した生体情報取得装置１０Ａの構成によれば、二次側コイル群１７は、コイル面同士が略平行となるように配置されるとともに直列に接続されたコイル１７１及び１７２と、コイル１７１及び１７２のコイル面に対してそれぞれ略９０°の角度をなすようにコイル面が設けられたコイル１７３と、を具備して構成されている。
【００４２】
また、磁界発生装置２０の位置決め部材２１は、磁界発生装置２０の平面コイル４４１と、生体情報取得装置１０Ａのコイル１７１、１７２及び１７３と、の間の相対的な位置関係を決定する位置決め部として機能する。
【００４３】
そして、図５に例示した本実施例の第１の変形例に係る構成によれば、生体情報取得装置１０Ａが位置決め部材２１により固定配置された状態においてスイッチ２２がオンされると、平面コイル４４１から発せられる交流磁界（の磁束）がコイル１７１、１７２及び１７３の３つのコイル面を鎖交するため、電磁誘導作用に伴う誘導電流がコイル１７１、１７２及び１７３のそれぞれにおいて略同時に発生する。さらに、コイル１７１、１７２及び１７３における誘導電流の発生に伴ってスイッチ部１９のオンオフ状態が切り替わることにより、電源部１４から照明部１１、撮像部１２及び無線伝送部１３の各部への電力供給が開始または停止される。
【００４４】
従って、図５に例示した本実施例の第１の変形例に係る構成によれば、高い強度の磁界を生体情報取得装置に照射せずとも、当該生体情報取得装置の電源のオンオフの切り替えを確実に行うことができる。
【００４５】
一方、本実施例の第２の変形例に係る生体情報取得システム１Ｂは、図６に示すように、生体情報取得装置１０と、磁界発生装置２０Ｂと、を有している。
【００４６】
磁界発生装置２０Ｂには、磁界発生装置２０における位置決め部材２１の代わりに、生体情報取得装置１０の長軸方向ＬＡを垂直方向として挿入配置して固定することが可能な穴である凹部２１Ｂが設けられている。
【００４７】
また、磁界発生装置２０Ｂの内部における凹部２１Ｂの周囲には、ドーナツ形状の平面コイル４４２及び４４３が設けられている。
【００４８】
平面コイル４４２は、例えばコイル１７１と同一の第１の巻回方向を具備するように形成されているとともに、磁界発生装置２０Ｂの内部において、凹部２１Ｂに挿入配置された生体情報取得装置１０のコイル１７１に近接するような位置に配置されている。また、平面コイル４４２のコイル面は、凹部２１Ｂに挿入配置された生体情報取得装置１０の長軸方向ＬＡに直交する平面上に設けられている。
【００４９】
平面コイル４４３は、例えばコイル１７２と同一の第２の巻回方向を具備するように形成されているとともに、磁界発生装置２０Ｂの内部において、凹部２１Ｂに挿入配置された生体情報取得装置１０のコイル１７２に近接するような位置に配置されている。また、平面コイル４４３のコイル面は、凹部２１Ｂに挿入配置された生体情報取得装置１０の長軸方向ＬＡに直交する平面上に設けられている。
【００５０】
すなわち、図６に例示した磁界発生装置２０Ｂの構成によれば、一次側コイル群４４は、凹部２１Ｂの方向に沿ってコイル面同士が対向するように配置された平面コイル４４２及び４４３を具備して構成されている。
【００５１】
また、磁界発生装置２０Ｂの凹部２１Ｂは、磁界発生装置２０Ｂの平面コイル４４２及び４４３と、生体情報取得装置１０のコイル１７１及び１７２と、の間の相対的な位置関係を決定する位置決め部として機能する。
【００５２】
そして、図６に例示した本実施例の第２の変形例に係る構成によれば、生体情報取得装置１０が凹部２１Ｂに挿入配置された状態においてスイッチ２２がオンされると、平面コイル４４２から発せられる交流磁界（の磁束）がコイル１７１のコイル面を鎖交し、さらに、平面コイル４４３から発せられる交流磁界（の磁束）がコイル１７２のコイル面を鎖交するため、電磁誘導作用に伴う誘導電流がコイル１７１及び１７２のそれぞれにおいて略同時に発生する。さらに、コイル１７１及び１７２における誘導電流の発生に伴ってスイッチ部１９のオンオフ状態が切り替わることにより、電源部１４から照明部１１、撮像部１２及び無線伝送部１３の各部への電力供給が開始または停止される。
【００５３】
従って、図６に例示した本実施例の第２の変形例に係る構成によれば、高い強度の磁界を生体情報取得装置に照射せずとも、当該生体情報取得装置の電源のオンオフの切り替えを確実に行うことができる。
【００５４】
なお、以上に述べた本実施例によれば、生体情報取得装置の位置決め用の構成として、位置決め部材または凹部が磁界発生装置に設けられているものに限らない。具体的には、位置決め部材または凹部を設ける代わりに、例えば、磁界発生装置の外表面において、磁界発生装置に設けられた各平面コイルから発せられる交流磁界（の磁束）が生体情報取得装置の各コイルのコイル面を鎖交する位置（または当該位置の近傍）にマークを付し、さらに、このマークに合わせて生体情報取得装置を配置させるように促す文字列等を表記してもよい。
【００５５】
そして、前述のマーク及び文字列を具備する構成によれば、生体情報取得装置の電源のオンオフの際に、操作者が磁界発生装置に付されたマークの位置に合わせて手動で生体情報取得装置を配置及び固定することにより、磁界発生装置に設けられた各平面コイルと、生体情報取得装置に設けられた各コイルと、の間の相対的な位置関係が決定される。その結果、前述のマーク及び文字列を具備して磁界発生装置が構成されている場合であっても、生体情報取得装置の電源のオンオフの切り替えを確実に行うことができる。
【００５６】
（第２の実施例）
図７から図９は、本発明の第２の実施例に係るものである。
【００５７】
なお、本実施例においては、第１の実施例と同様の構成等を有する部分に関する詳細な説明を省略するとともに、第１の実施例と異なる構成等を有する部分に関して主に説明を行う。
【００５８】
本実施例に係る生体情報取得システム１Ｃは、図７に示すように、生体情報取得装置１０Ｃと、磁界発生装置２０と、を有している。
【００５９】
生体情報取得装置１０Ｃは、図２に例示したものと同様の構成を有する一方で、二次側コイル群１７の各コイルの配置状態等が第１の実施例の生体情報取得装置１０とは異なっている。
【００６０】
具体的には、図７に示すように、生体情報取得装置１０Ｃの長軸方向ＬＢに位置する一方の端部には、長軸方向ＬＢとコイル面とが直交（または略直交）するように配置されたコイル１７４が内蔵されている。
【００６１】
また、図７に示すように、生体情報取得装置１０Ｃの短軸方向ＳＢに位置する側部には、短軸方向ＳＢとコイル面とが直交（または略直交）するように配置されたコイル１７５が内蔵されている。
【００６２】
すなわち、図７に例示した生体情報取得装置１０Ｃの構成によれば、二次側コイル群１７は、コイル面同士が略９０°の角度をなすように配置されるとともに直列に接続されたコイル１７４及び１７５を具備して構成されている。
【００６３】
また、磁界発生装置２０の位置決め部材２１は、磁界発生装置２０の平面コイル４４１と、生体情報取得装置１０Ｃのコイル１７４及び１７５と、の間の相対的な位置関係を決定する位置決め部として機能する。
【００６４】
そして、図７に例示した本実施例の構成によれば、生体情報取得装置１０Ｃが位置決め部材２１により固定配置された状態においてスイッチ２２がオンされると、平面コイル４４１から発せられる交流磁界（の磁束）がコイル１７４及び１７５の２つのコイル面を鎖交するため、電磁誘導作用に伴う誘導電流がコイル１７４及び１７５のそれぞれにおいて略同時に発生する。さらに、コイル１７４及び１７５における誘導電流の発生に伴ってスイッチ部１９のオンオフ状態が切り替わることにより、電源部１４から照明部１１、撮像部１２及び無線伝送部１３の各部への電力供給が開始または停止される。
【００６５】
従って、図７に例示した本実施例に係る構成によれば、高い強度の磁界を生体情報取得装置に照射せずとも、当該生体情報取得装置の電源のオンオフの切り替えを確実に行うことができる。
【００６６】
ところで、以上に述べたような本実施例の構成によれば、前述の効果と略同一の効果を得ることが可能な種々の変形例が考えられる。そのため、以降においては、このような種々の変形例についての説明を行う。なお、以降においては、説明の簡単のため、既に述べたものと同じ構成要素等に関する詳細な説明を適宜省略する。
【００６７】
本実施例の第１の変形例に係る生体情報取得システム１Ｄは、図８に示すように、生体情報取得装置１０Ｃと、磁界発生装置２０Ｄと、を有している。
【００６８】
磁界発生装置２０Ｄには、磁界発生装置２０における位置決め部材２１の代わりに、生体情報取得装置１０Ｃの長軸方向ＬＢを水平方向として挿入配置して固定することが可能な穴である凹部２１Ｄが設けられている。
【００６９】
また、磁界発生装置２０Ｄの内部における凹部２１Ｄの周囲には、ドーナツ形状の平面コイル４４４及び４４５が設けられている。
【００７０】
平面コイル４４４は、磁界発生装置２０Ｄの上面側の内部において、凹部２１Ｄに挿入配置された生体情報取得装置１０Ｃの一方の側部に近接するような位置に配置されている。また、平面コイル４４４のコイル面は、凹部２１Ｄに挿入配置された生体情報取得装置１０Ｃの長軸方向ＬＢに対して平行となる平面上に設けられている。
【００７１】
平面コイル４４５は、磁界発生装置２０Ｄの底面側の内部において、凹部２１Ｄに挿入配置された生体情報取得装置１０Ｃの他方の側部に近接するような位置に配置されている。また、平面コイル４４５のコイル面は、凹部２１Ｄに挿入配置された生体情報取得装置１０Ｃの長軸方向ＬＢに対して平行となる平面上に設けられている。
【００７２】
すなわち、図８に例示した磁界発生装置２０Ｄの構成によれば、一次側コイル群４４は、凹部２１Ｄを挟んでコイル面同士が対向するように配置された平面コイル４４４及び４４５を具備して構成されている。
【００７３】
また、磁界発生装置２０Ｄの凹部２１Ｄは、磁界発生装置２０Ｄの平面コイル４４４及び４４５と、生体情報取得装置１０Ｃのコイル１７４及び１７５と、の間の相対的な位置関係を決定する位置決め部として機能する。
【００７４】
そして、図８に例示した本実施例の第１の変形例に係る構成によれば、生体情報取得装置１０Ｃが凹部２１Ｄに挿入配置された状態においてスイッチ２２がオンされると、平面コイル４４４及び４４５から発せられる交流磁界（の磁束）がコイル１７４のコイル面を鎖交し、さらに、平面コイル４４４または４４５のいずれかから発せられる交流磁界（の磁束）がコイル１７５のコイル面を鎖交するため、電磁誘導作用に伴う誘導電流がコイル１７４及び１７５のそれぞれにおいて略同時に発生する。さらに、コイル１７４及び１７５における誘導電流の発生に伴ってスイッチ部１９のオンオフ状態が切り替わることにより、電源部１４から照明部１１、撮像部１２及び無線伝送部１３の各部への電力供給が開始または停止される。
【００７５】
従って、図８に例示した本実施例の第１の変形例に係る構成によれば、高い強度の磁界を生体情報取得装置に照射せずとも、当該生体情報取得装置の電源のオンオフの切り替えを確実に行うことができる。
【００７６】
一方、本実施例の第２の変形例に係る生体情報取得システム１Ｅは、図９に示すように、生体情報取得装置１０Ｅと、磁界発生装置２０Ｄと、を有している。
【００７７】
生体情報取得装置１０Ｅには、前述のコイル１７４及び１７５に加え、生体情報取得装置１０Ｅの短軸方向ＳＢに位置する側部において、短軸方向ＳＢとコイル面とが直交（または略直交）するように配置されたコイル１７６が内蔵されている。
【００７８】
すなわち、図９に例示した生体情報取得装置１０Ｅの構成によれば、二次側コイル群１７は、コイル面同士が略９０°の角度をなすように配置されるとともに直列に接続されたコイル１７４及び１７５と、コイル１７５のコイル面に対して平行（または略平行）となるようにコイル面が設けられたコイル１７６と、を具備して構成されている。
【００７９】
また、磁界発生装置２０Ｄの凹部２１Ｄは、磁界発生装置２０Ｄの平面コイル４４４及び４４５と、生体情報取得装置１０Ｅのコイル１７４、１７５及び１７６と、の間の相対的な位置関係を決定する位置決め部として機能する。
【００８０】
そして、図９に例示した本実施例の第２の変形例に係る構成によれば、生体情報取得装置１０Ｅが凹部２１Ｄに挿入配置された状態においてスイッチ２２がオンされると、平面コイル４４４から発せられる交流磁界（の磁束）がコイル１７４及び１７６のコイル面を鎖交し、さらに、平面コイル４４５から発せられる交流磁界（の磁束）がコイル１７４及び１７５のコイル面を鎖交するため、電磁誘導作用に伴う誘導電流がコイル１７４、１７５及び１７６のそれぞれにおいて略同時に発生する。さらに、コイル１７４、１７５及び１７６における誘導電流の発生に伴ってスイッチ部１９のオンオフ状態が切り替わることにより、電源部１４から照明部１１、撮像部１２及び無線伝送部１３の各部への電力供給が開始または停止される。
【００８１】
従って、図９に例示した本実施例の第２の変形例に係る構成によれば、高い強度の磁界を生体情報取得装置に照射せずとも、当該生体情報取得装置の電源のオンオフの切り替えを確実に行うことができる。
【００８２】
なお、本発明は、上述した各実施例に限定されるものではなく、発明の趣旨を逸脱しない範囲内において種々の変更や応用が可能であることは勿論である。
【符号の説明】
【００８３】
１，１Ａ，１Ｂ，１Ｃ，１Ｄ，１Ｅ  生体情報取得システム
１０，１０Ａ，１０Ｃ，１０Ｅ  生体情報取得装置
１１  照明部
１２  撮像部
１３  無線伝送部
１４  電源部
１５  磁界検出部
１７  二次側コイル群
１８  切替制御部
１９  スイッチ部
２０，２０Ｂ，２０Ｄ  磁界発生装置
２１  位置決め部材
２１Ｂ，２１Ｄ  凹部
２２  スイッチ
４１  電源部
４２  磁界発生部
４４  一次側コイル群
４５  発振器
４６  タイミング生成部
４７  ドライバ
４９  磁界発生制御部
１７１，１７２，１７３，１７４，１７５，１７６  コイル
４４１，４４２，４４３，４４４，４４５  平面コイル
【先行技術文献】
【特許文献】
【００８４】
【特許文献１】特開２００９−８９９０７号公報
【図１】
0005820645.tif 000002
【図２】
0005820645.tif 000003
【図３】
0005820645.tif 000004
【図４】
0005820645.tif 000005
【図５】
0005820645.tif 000006
【図６】
0005820645.tif 000007
【図７】
0005820645.tif 000008
【図８】
0005820645.tif 000009
【図９】
0005820645.tif 000010